(57)【要約】      （修正有）【課題】包装ケース両方に曲率を与えてワイパーを直線に広げなくても包装が可能で、ワイパーのゴム刃部分が包装ケースの床で浮き上がってゴム刃保護が可能である車両用ワイパー包装ケースを提供する。【解決手段】車両用ワイパー１００を包装する包装ケースにおいて、両端に所定の曲率半径で曲面が含まれている床部２２と床部の上面に上向きに突出されてワイパーを安着させてワイパーのゴム刃が床部の表面で浮き上がるように複数個以上のワイパー浮き上げ用の支持顎２４が具備された樹脂材の下部ケース２０と、下部ケースの上面に覆い被せられる樹脂材の上部ケース３０を含んで構成される。【選択図】図２
2008239249.tif 000002
【特許請求の範囲】
【請求項１】
車両用ワイパーを包装する包装ケースにおいて、両端に所定の曲率半径で曲面が含まれている床部と、前記床部の上面に上向きに突出されてワイパーを安着させてワイパーゴム刃が床部の表面で浮き上がることが出来るように複数個以上のワイパー浮き上げ用支持顎が具備された樹脂材の下部ケースと、前記下部ケースの上面に覆い被せられる樹脂材の上部ケースを含んで構成されることを特徴とする車両用ワイパー包装ケース。
【請求項２】
前記上部ケースには、一直線上に位置して収納されたワイパーの幅方向の流動を抑制する下向きに突出された一対の支持顎が更に具備されていることを特徴とする請求項１に記載の車両用ワイパー包装ケース。
【請求項３】
前記下部ケースの一個所には包装ケースに収納されたワイパーの取り出しを容易にするように幅の方向にフィルムヒンジが形成されていることを特徴とする請求項１に記載の車両用ワイパー包装ケース。
【請求項４】
前記上部ケースには一端部から一定区間に曲率半径で曲面を持つ曲面部が更に形成されていることを特徴とする請求項１に記載の車両用ワイパー包装ケース。
【発明の詳細な説明】
【技術分野】
【０００１】
本発明は車両用ワイパー包装ケースに関するもので、特に包装ケース両方に曲率を与えてワイパーを直線に広げなくても包装が可能で、ワイパーのゴム刃部分が包装ケースの底で浮き上がってゴム刃保護が可能であるようにした車両用ワイパー包装ケースに関するものである。
【背景技術】
【０００２】
車両用ワイパーは雨天時、またはその外の必要時毎に作動させて車両のウィンドシールドグラスを磨く。
【０００３】
この時ワイパーはゴム刃によってウィンドシールドグラスに付着した異物を取り除くことになる。
【０００４】
従って、ワイパーのゴム刃は包装された状態からその製作された本来の状態でよく収納されることにより本来の機能を発揮する。
【０００５】
例えば、ワイパーのゴム刃が包装ケースの底に押さえつけられて損傷が発生する場合、ゴム刃をウィンドシールドグラスに均一に密着させることが出来なくなる。
【０００６】
一方、車両用ワイパーはウィンドシールドグラスの曲面に完全に密着するように曲率を持って製作される。
【０００７】
しかし、従来のワイパー包装ケースを調べて見れば、ワイパーを直線形態に広げた状態で収納させる構造になっている。
【０００８】
このような場合、包装ケースの長さが長くなるという問題がある。
【発明の開示】
【０００９】
従って本発明は上記のような諸事情を勘案して創出されたもので、包装ケース両方に曲率を与えてワイパーを直線に広げなくても包装が可能であるようにワイパーの包装の全体の長さを減少させると同時に、ワイパーのゴム刃部分が包装ケースの床から持ち上げられた状態で包装されるようにする事で、ゴム刃保護が可能であるようにした車両用ワイパーの包装ケースを提供する事にその目的がある。
【００１０】
上記の目的を達成するための本発明の具体的な手段は、車両用ワイパーを包装する包装ケースにおいて、両端に所定の曲率半径で曲面が含まれている床部と前記床部の上面に上向きに突出されてワイパーを安着させてワイパーのゴム刃が床部の表面で浮き上がるように複数個以上のワイパー浮き上げ用の支持顎が具備された樹脂材の下部ケースと、前記下部ケースの上面に覆い被せられる樹脂材の上部ケースを含んで構成される事を特徴とする。
【００１１】
また本発明によると、前記上部ケースには一直線上に位置して収納されたワイパーの幅方向の流動を抑制する下向きに突出された一対の支持顎が更に具備されている事を特徴とする。
【００１２】
また本発明によると、前記下部ケースの一個所には、包装ケースに収納されたワイパーの取り出しを容易にする為に幅方向にフィルムヒンジが形成されている事を特徴とする。
【００１３】
また本発明によると、前記上部ケースは一端部から一定区間に曲率半径で曲面を持つ曲面部が更に形成されている事を特徴とする。
【００１４】
上述したように本発明の車両用ワイパー包装ケースによると、包装ケース両方に曲率を与えてワイパーを直線に広げなくても包装が可能で、包装の全体の長さを減少させることができ、ワイパーのゴム刃部分は包装ケースの床で浮き上がっている状態で支持して、ゴム刃を保護するようにする事で、ゴム刃の損傷を防止して製品の不良を防止する効果がある。
【発明を実施するための最良の形態】
【００１５】
以下、添付された図面を参照して本発明の好ましい実施例を詳細に説明する。
【００１６】
図１は本発明による車両用ワイパー包装ケースの全体的な斜視図であり、図２は本発明による車両用ワイパー包装ケースの分解正面図であり、図３は本発明の車両用ワイパー包装ケースに適用される下部ケースの平面図であり、図４は図３のＡ−Ａ線に沿った断面図でのワイパーの装着状態図である。
【００１７】
図１及び図２においてのように本発明のワイパー包装ケース（１０）は透明樹脂材で製作されたもので下部ケース（２０）と、前記下部ケース（２０）に着脱可能に組み立てられる上部ケース（３０）で構成される。
【００１８】
前記下部ケース（２０）は両端に所定の曲率半径（Ｒ）で形成された曲面（２２ａ）が含まれている床部（２２）と，前記床部（２２）の上面に上向きに突出されてワイパー（１００）の本体を安着させると同時に、ワイパーゴム刃が床部（２２）の底で浮き上がることが出来るように複数個以上のワイパー浮き上げ用支持顎（２４）が具備されている。
【００１９】
本実施例でワイパー浮き上げ用支持顎（２４）は図３のように全部で５個具備されて下部ケース（２０）の長さ方向の両方に配置される。
【００２０】
この時、５個のワイパー浮き上げ用支持顎（２４）はどちらか一方に３個、他の一方に２個形成されており、これらのワイパー浮き上げ用支持顎（２４）はお互いにずらした位置に配置されている。
【００２１】
従ってワイパー（１００）を下部ケース（２０）に収納する際、ワイパー（１００）は図４においてのようにワイパー浮き上げ用支持顎（２４）の上に乗せられて安着されることになる。
【００２２】
この時、ワイパー（１００）のゴム刃（１０２）は床部（２２）の曲面（２２ａ）で所定間隙（Ｇ）を持って浮き上がることになる。
【００２３】
前記下部ケース（２０）の一個所には包装ケース（１０）に収納されたワイパー（１００）の取り出しを容易にする為に幅の方向にフィルムヒンジ（２６）を形成させることができる。
【００２４】
フィルムヒンジ（２６）は図２においてのように下部ケース（２０）の一端側を回転させてワイパー（１００）が外部に露出されて手で容易に把持して取り出しが出来る様にしたものである。
【００２５】
一方、前記上部ケース（３０）は図１のように前記下部ケース（２０）の上面に覆い被せられるもので、上部ケース（３０）には一直線上に位置して収納されたワイパー（１００）の幅方向の流動を抑制する下向きに突出された一対の支持顎（３１、３２）が具備されている。
【００２６】
なお、上部ケース（３０）には一端部から一定区間に曲率半径で曲面を持つ曲面部（３４）が形成されている。
【００２７】
この曲面部（３４）は上、下部ケース（２０、３０）を組み立てる時、下部ケース（２０）に収納されたワイパー（１００）をワイパー浮き上げ用支持顎（２４）に密着させる役割をする。
【００２８】
一方、ワイパー包装ケース（１０）は分割された下部ケース（２０）と上部ケース（３０）を互いに結合させる結合手段として、それぞれのフランジ部に形成されて互いに強制差し込みと着脱が可能であるように結合される凸凹部（２９）と凸溝部（３９）が複数個以上具備されている。
【００２９】
このように構成されたワイパー包装ケース（１０）は、下部ケース（２０）の上方から下方にワイパー（１００）を安着させる。
【００３０】
この時、ワイパー（１００）は図４のようにワイパー浮き上げ用支持顎（２４）に支持される。
【００３１】
この状態で上部ケース（３０）を下部ケース（２０）に合致させて組み立てれば凸凹部（２９）が凸溝部（３９）に結合される。
【００３２】
この時、上部ケース（３０）の曲面部（３４）はワイパー（１００）を下部ケース（２０）の床側に押さえることになる。
【００３３】
この時、支持顎（３１、３２）はワイパー（１００）の幅方向の移動を抑制してワイパー（１００）の定められた収納位置姿勢を維持するようになる。
【００３４】
このようにすれば、下部ケース（２０）の床部（２２）は曲率半径を持つ曲面（２２ａ）をなすために円弧形態のワイパー（１００）を直線に広げなくても包装が可能になる。
【００３５】
また多数のワイパー浮き上げ用支持顎（２４）によって、ワイパー（１００）のゴム刃（１０２）が床の曲面（２２ａ）で所定の間隙（Ｇ）程度浮き上がることになりゴム刃の保護が可能になる。
【００３６】
一方、本発明は５個のワイパー浮き上げ用支持顎（２４）で構成したが本発明はこのような個数と配列構造に限定されるものではない。
【図面の簡単な説明】
【００３７】
【図１】本発明による車両用ワイパー包装ケースの全体的斜視図である。
【図２】本発明による車両用ワイパー包装ケースの分解正面図である。
【図３】本発明の車両用ワイパー包装ケースに適用される下部ケースの平面図である。
【図４】図３のＡ−Ａ線に沿った断面図でワイパーの装着状態図である。
【符号の説明】
【００３８】
２０：下部ケース
２２：床部
２４：ワイパー浮き上げ用支持顎
２６：フィルムヒンジ
３０：上部ケース
３１、３２：支持顎
３４：曲面部
【図１】
2008239249.tif 000003
【図２】
2008239249.tif 000004
【図３】
2008239249.tif 000005
【図４】
2008239249.tif 000006